(57)【要約】      （修正有）【課題】LED自体の自己発熱の影響を受けずにLED光源ユニットの良否を適切に行えるLED光源ユニットチェッカを提供する。【解決手段】LED光源ユニットチェッカ１は、LEDを有するLED光源ユニット２へ、所定の期間だけ所定の定電流を供給するための定電流電源１４と、LED光源ユニット２へ所定の定電流を供給した場合の、LED光源ユニット２に発生する順電圧を検知して、検知した順電圧が所定の範囲にあるか否かを判定する電圧判定部１８と、電圧判定部１８において判定された判定結果を表示する判定表示部１９とを有する。【選択図】図１
2012204176.tif 000002
【特許請求の範囲】
【請求項１】
LEDを有するLED光源ユニットへ、所定の第１の期間だけ所定の定電流を供給するための定電流電源と、
前記LED光源ユニットへ前記所定の定電流を供給した場合の、前記LED光源ユニットに発生する順電圧を検知して、検知した順電圧が前記所定の範囲にあるか否かを判定する電圧判定部と、
前記電圧判定部において判定された判定結果を告知する告知部と、
を有することを特徴とするLED光源ユニットチェッカ。
【請求項２】
前記告知部は、前記検知した順電圧が前記所定の範囲を上回る場合と、前記検知した順電圧が前記所定の範囲内にある場合と、前記検知した順電圧が前記所定の範囲を下回る場合とを告知するための、表示器を有することを特徴とする請求項１に記載のLED光源ユニットチェッカ。
【請求項３】
前記電圧判定部は、前記LED光源ユニットの種類に応じた複数の電圧判定回路を有し、
前記電圧判定部において、前記LED光源ユニットの種類に応じて前記複数の電圧判定回路の中の１つが選択されることを特徴とする請求項１又は２に記載のLED光源ユニットチェッカ。
【請求項４】
前記所定の第１の期間をカウントする第１のタイマを有し、
前記第１のタイマは、前記LED光源ユニットの検定の開始を指示する信号が入力されると前記所定の第１の期間のカウントを開始することを特徴とする請求項１から３のいずれか１つに記載のLED光源ユニットチェッカ。
【請求項５】
所定の第２の期間をカウントする第２のタイマを有し、
前記第２のタイマは、前記LED光源ユニットの検定の開始を指示する信号が入力されると前記所定の第２の期間のカウントを開始し、
前記告知部は、前記第２のタイマが前記所定の第２の期間が終了するまで前記判定結果を告知することを特徴とする請求項１から４のいずれか１つに記載のLED光源ユニットチェッカ。
【請求項６】
前記告知部は、前記判定結果を記憶するメモリ機能を有することを特徴とする請求項１から５のいずれか１つに記載のLED光源ユニットチェッカ。
【請求項７】
前記LED光源ユニットは、航空標識灯のためのLED光源ユニットであることを特徴とする請求項１から６のいずれか１つに記載のLED光源ユニットチェッカ。
【発明の詳細な説明】
【技術分野】
【０００１】
本発明の実施形態は、LED光源ユニットチェッカに関する。
【背景技術】
【０００２】
従来より、発光ダイオード（以下、LEDという）を用いた標識灯が種々の分野で用いられている。標識灯の一つに、空港などに用いられる航空標識灯がある。標識灯は、例えば、１又は複数のLEDを有するLED光源ユニットと、LEDユニットのLEDを点灯させる回路を有する点灯ユニットを含んで構成されている。
【０００３】
標識灯は、LED光源ユニットが点灯したときに、標識が適切に見えるように、所定の明るさを保持しなければならない。例えば、上述した航空標識灯は、その標識がパイロットに常に適切に見えなければならないため、標識灯が発する光量を定期的にチェックすることが行われる。
【０００４】
従来は、標識灯が発する光量を定期的にチェックすることは行われるが、LED光源ユニット自体のチェック、すなわちLED光源ユニットの良否判定は行われていない。LED自体は、例えば経時劣化するが、LED光源ユニット自体の良否の判定は行われていない。
【０００５】
そこで、LED光源ユニットのチェック装置として、LED光源ユニットに定格電流を流して、そのときのLED光源ユニットの順電圧を検定することのよって、LED光源ユニットの良否を判定することが考えられる。
【先行技術文献】
【特許文献】
【０００６】
【特許文献１】特開２００６−１３９７５５号公報
【発明の概要】
【発明が解決しようとする課題】
【０００７】
しかし、LED光源ユニットに定格電流を流した場合、LED自体の自己発熱によりLED順電圧が変化する虞があり、LED光源ユニットの良否判定が困難になるという問題がある。
【０００８】
そこで、本実施形態は、LED自体の自己発熱の影響を受けずにLED光源ユニットの良否を適切に行えるLED光源ユニットチェッカを提供することを目的とする。
【課題を解決するための手段】
【０００９】
実施形態のLED光源ユニットチェッカは、LEDを有するLED光源ユニットへ、所定の第１の期間だけ所定の定電流を供給するための定電流電源と、前記LED光源ユニットへ前記所定の定電流を供給した場合の、前記LED光源ユニットに発生する順電圧を検知して、検知した順電圧が前記所定の範囲にあるか否かを判定する電圧判定部と、前記電圧判定部において判定された判定結果を告知する告知部と、を有する。
【発明の効果】
【００１０】
実施形態によれば、LED自体の自己発熱の影響を受けずにLED光源ユニットの良否を適切に行えるLED光源ユニットチェッカを提供することができる。
【図面の簡単な説明】
【００１１】
【図１】実施形態に係わるLED光源ユニットチェッカの構成を説明するための回路図である。
【図２】実施形態に係わる、LED光源ユニットチェッカと、LEDユニットとの接続を説明するための図である。
【図３】実施形態に係わる判定表示部１９の表示部１９Aの例を示す図である。
【図４】実施形態に係わるLED光源ユニットチェッカ１の動作を説明するためのタイミングチャートである。
【発明を実施するための形態】
【００１２】
実施形態のLED光源ユニットチェッカは、LEDを有するLED光源ユニットへ、所定の第１の期間だけ所定の定電流を供給するための定電流電源と、前記LED光源ユニットへ前記所定の定電流を供給した場合の、前記LED光源ユニットに発生する順電圧を検知して、検知した順電圧が前記所定の範囲にあるか否かを判定する電圧判定部と、前記電圧判定部において判定された判定結果を告知する告知部と、を有する。  
このような構成によれば、LED自体の自己発熱の影響を受けずにLED光源ユニットの良否を適切に行えるLED光源ユニットチェッカを提供することができる。  
本発明及び各請求項の各発明において、特に指定しない限り、用語の定義及び技術的意味は次による。
【００１３】
なお、LED光源ユニットチェッカは、例えば航空標識灯のLED光源ユニットのためのチェッカであるが、これに限定されない。
【００１４】
また、告知部は、前記検知した順電圧が前記所定の範囲を上回る場合と、前記検知した順電圧が前記所定の範囲内にある場合と、前記検知した順電圧が前記所定の範囲を下回る場合とを告知するための、表示器を有することが好ましい。  
これにより、ユーザは、LED光源ユニットの検定結果を把握し易い。  
告知部は、例えば３つのLED表示器を有するものであるが、これに限定されない。
【００１５】
また、電圧判定部は、前記LED光源ユニットの種類に応じた複数の電圧判定回路を有し、前記電圧判定部において、前記LED光源ユニットの種類に応じて前記複数の電圧判定回路の中の１つが選択されることが好ましい。  
これにより、LED光源ユニットの種類に応じた検定を行うことができる。  
電圧判定部は、複数の電圧判定回路を有するが、これに限定されない。
【００１６】
また、LED光源ユニットチェッカは、前記所定の第１の期間をカウントする第１のタイマを有し、前記第１のタイマは、前記LED光源ユニットの検定の開始を指示する信号が入力されると前記所定の第１の期間のカウントを開始することが好ましい。  
これにより、LED光源ユニットチェッカは、所定の第１の期間をカウントすることができる。  
なお、所定の第１の期間は、第１のタイマによりカウントされるが、これに限定されない。
【００１７】
また、LED光源ユニットチェッカは、所定の第２の期間をカウントする第２のタイマを有し、前記第２のタイマは、前記LED光源ユニットの検定の開始を指示する信号が入力されると前記所定の第２の期間のカウントを開始し、前記告知部は、前記第２のタイマが前記所定の第２の期間が終了するまで前記判定結果を告知することが好ましい。
【００１８】
これにより、LED光源ユニットチェッカは、所定の第２の期間をカウントすることができる。  
なお、所定の第２の期間は、第２のタイマによりカウントされるが、これに限定されない。
【００１９】
また、前記告知部は、前記判定結果を記憶するメモリ機能を有することが好ましい。  
これにより、ユーザは、検定結果の確認を容易に行うことができる。  
なお、告知部が判定結果を記憶するメモリ機能を有するが、これに限定されない。
【００２０】
また、前記LED光源ユニットは、航空標識灯のためのLED光源ユニットであることが好ましい。  
これにより、航空標識灯においてLED光源ユニットの検定を適切に行うことができる。  
なお、LED光源ユニットチェッカは、航空標識灯のLED光源ユニットのためのチェッカであるが、これに限定されない。
【００２１】
以下、図面を参照して実施形態を説明する。図１は、本実施形態に係わるLED光源ユニットチェッカの構成を説明するための回路図である。図２は、LED光源ユニットチェッカと、LEDユニットとの接続を説明するための図である。
【００２２】
本実施形態では、航空標識灯の例で説明する。LED光源ユニットチェッカ１は、LEDユニット２に接続して使用される。図２に示すように、航空標識灯１０は、LEDユニット２とLED点灯ユニット３とを含んでいる。LEDユニット２は、LED点灯ユニット３により点灯される光源ユニットである。LED点灯ユニット３は、パルス幅変調によるLEDユニット２への制御信号を出力して、LEDユニット２の調光制御を行う。
【００２３】
LEDユニット２は、チェック時には航空標識灯１０から取り外され、LED光源ユニットチェッカ１に接続されて、LEDユニット２の良否判定が行われる。ここでは、LEDユニット２の良否判定は、LEDユニット２に所定の定格電流を流したときに、所定のLED順電圧が発生するか否かを検査することである。
【００２４】
図１に示すように、LED光源ユニットチェッカ１は、例えば商用電源に接続するためのプラグ１１、電源スイッチ１２、DC化電源１３、定電流電源１４、出力スイッチ１５、種類選択スイッチ１６、電圧検知回路１７、電圧判定部１８、判定表示部１９及びタイマ部２０を含んで構成されている。LEDユニット２の電源用の端子あるいはケーブルが、LED光源ユニットチェッカ１の接続端子２１，２２に接続される。LEDユニット２は、直列接続された２つのLED２ａ、２ｂを含む。
【００２５】
プラグ１１が商用電源に接続され、電源スイッチ１２がオンされると、DC化電源１３は、所定の直流電圧を２本の信号線L1,L2間に供給することによって、各回路に動作電源を供給する。  
定電流電源１４は、供給された所定の電圧から所定の定格電流Isを生成し、スイッチ１５を介してLEDユニット２へ供給する。ここでは、スイッチ１５がオンすると、LEDユニット２には、所定の定格電流Is、例えば350mAの電流、が供給される。すなわち、定電流電源１４は、２つのLED２ａ、２ｂを有するLED光源ユニットへ、後述する所定の期間（T2）だけ所定の定電流である定格電流Isを供給する。
【００２６】
種類選択スイッチ１６は、検定する航空標識灯あるいは検定するLEDユニットの種類をユーザが選択するためのスイッチである。例えば、航空標識灯には、その機能に応じて、灯火色が異なるので、種類選択スイッチ１６は、色別の選択スイッチ、種別の選択スイッチである。
【００２７】
電圧検知回路１７は、接続端子２１と２２間の電圧を検知し、電圧判定部１８に、検知した電圧Vdを出力する。  
電圧判定部１８は、３つの電圧判定回路１８ａ、１８ｂ、１８ｃを含む。電圧検知部１８からの検知電圧Vdは、３つの電圧判定回路１８ａ、１８ｂ、１８ｃに供給される。３つの電圧判定回路１８ａ、１８ｂ、１８ｃは、入力された検知電圧Vdが、それぞれに設定された所定の電圧範囲にあるか否かを判定し、その判定結果信号DSを出力する。LEDユニットチェッカ１は、異なる種類の標識灯をチェックできるように、ここでは３つの種類のLEDユニットをチェックできるように、電圧判定部１８は、３つの電圧判定回路１８ａ、１８ｂ、１８ｃを有している。すなわち、電圧判定部１８は、LED光源ユニット２の種類に応じた複数の電圧判定回路を有し、LED光源ユニット２の種類に応じて複数の電圧判定回路の中の１つが選択される。
【００２８】
以上のように、電圧判定部１８は、LED光源ユニット２へ所定の定電流を供給したときの、LED光源ユニット２に発生する順電圧を検知して、検知した順電圧が所定の範囲にあるか否かを判定する。
【００２９】
３つの電圧判定回路１８ａ、１８ｂ、１８ｃは、種類選択スイッチ１６を介して信号線L1に接続されており、ユーザは、種類選択スイッチ１６を切り替えることによって、検定する標識灯の種類を選択することができる。電圧判定部１８の各電圧判定回路は、判定表示部１９に接続されている。
【００３０】
種類選択スイッチ１６が切り換えられて、電圧判定回路１８ａを選択すると、電圧判定回路１８ａは、電圧検知回路１７からの検知電圧値Vdが設定された所定の範囲R1内にあるか否かを判定し、検知電圧Vdが所定の範囲R1を上回った場合又は所定の範囲R1を下回った場合に、判定結果信号DSとして、それぞれ異常検知信号Hi又はLoを出力する。すなわち、LEDユニット２に所定の定格電流を流し、そのときのLED順電圧が規定の範囲である所定の範囲R1にあるか否かが判定され、LED順電圧が所定の範囲R1を上回った場合は、電圧判定回路１８ａはHi信号を出力し、LED順電圧が所定の範囲R1を下回った場合は、電圧判定回路１８ａはLo信号を出力する。
【００３１】
同様に、電圧判定回路１８ｂが選択されると、電圧判定回路１８ｂは、電圧検知回路１７からの検知電圧値Vdが設定された所定の範囲R2内にあるか否かを判定し、検知電圧Vdが所定の範囲R2を上回った場合又は所定の範囲R2を下回った場合に、それぞれ異常検知信号Hi又はLoを出力する。
【００３２】
同様に、電圧判定回路１８ｃが選択されると、電圧判定回路１８ｃは、電圧検知回路１７からの検知電圧値Vdが設定された所定の範囲R3内にあるか否かを判定し、検知電圧Vdが所定の範囲R3を上回った場合又は所定の範囲R3を下回った場合に、それぞれ異常検知信号Hi又はLoを出力する。
【００３３】
各電圧判定回路１８ａ、１８ｂ、１８ｃの判定結果信号DSは、判定表示部１９に供給され、判定表示部１９は、種類選択スイッチ１６において選択された電圧判定回路からの判定結果信号DSに応じた表示を行うための表示部１９Aを有する。
【００３４】
図３は、判定表示部１９の表示部１９Aの例を示す図である。表示部１９Aは、３つの表示器１９Aa,１９Ab,１９Acを有する。各表示器は、例えばLEDである。表示器１９Aaは、Hi信号に対応するものであり、電圧判定回路が判定結果信号DSとしてHi信号を出力したときに、点灯する。表示器１９Abは、Lo信号に対応するものであり、電圧判定回路が判定結果信号DSとしてLo信号を出力したときに、点灯する。表示器１９Acは、Hi信号とLo信号が出力されなかったときに、点灯する。
【００３５】
以上のように、告知部である判定表示部１９の表示部１９Aは、検知した順電圧が所定の範囲を上回る場合と、検知した順電圧が所定の範囲内にある場合と、検知した順電圧が所定の範囲を下回る場合とを告知するための、表示器を有する。 
なお、各電圧判定回路は、検知電圧Vdがそれぞれの所定の範囲内にある場合に、所定の信号を出力して、その所定の信号に応じて、表示器１９Acを点灯するようにしてもよい。
【００３６】
また、判定表示部１９は、判定結果を記憶するメモリ型であり、判定結果信号DSを入力すると、その判定結果信号DSを記憶する。すなわち、判定表示部１９は、電圧判定部１８において判定された判定結果をユーザに告知するための告知部を構成する。
【００３７】
図１において点線で示すように、限時信号回路部としてのタイマ部２０は、スタートスイッチ２３、及びタイマ２４、２５、２６を含んで構成される。スタートスイッチ２３は、ユーザにより、操作されるスイッチであり、検定スタートのためのスイッチである。
【００３８】
タイマ２４は、スタートスイッチ２３に接続され、スタートスイッチ２３がオンされると、所定の期間T1だけHi信号のスタート信号SSを出力するワンショットタイマ回路である。  
タイマ２４の出力は、タイマ２５と２６に供給される。タイマ２４の出力により、タイマ２５と２６が同時に起動される。タイマ２５は、タイマ２４からスタート信号SSが入力されると、所定の期間T2だけHi信号の動作信号OSを出力する回路である。タイマ２５からの動作信号OSは、スイッチ１５をオンにする信号として、スイッチ１５へ供給される。すなわち、タイマ２５は、所定の期間T2をカウントするタイマであり、LED光源ユニット２の検定の開始を指示する信号が入力されると所定の期間T2のカウントを開始する。
【００３９】
タイマ２６は、タイマ２４からスタート信号SSが入力されると、所定の期間T3だけHi信号のリセット信号RSを出力する回路である。タイマ２６のリセット信号RSは、判定表示部１９をリセットする信号として、判定表示部１９へ供給される。
【００４０】
所定の期間T3は、所定の期間T2よりも短く、リセット信号RSの出力が終了した後に、判定表示部１９は、電圧判定部１８の判定結果信号DSを保持すると共に、判定結果信号DSに応じた表示部１９Aの表示器１９Aa,１９Ab,１９Acのいずれか１つを点灯する。表示器の点灯は、所定の期間T2が終了するまでである。しかし、上述したように、判定表示部１９は、次のリセット信号RSが入力されるまで、そのメモリ機能により表示状態を記憶する。
【００４１】
タイマ２４は、ユーザがスタートスイッチ２３を押したときに、チャタリングのない操作信号を生成するための回路であり、所定の期間T1は、例えば0.1秒である。  
タイマ２５の動作信号OSは、LEDユニット２へ所定の定格電流Isを所定の期間T2だけ供給するために、スイッチ１５をオンにするための信号である。タイマ２５には、所定の期間T2として、LED自体が自己発熱により温度上昇しないような時間が設定される。所定の期間T2は、例えば5秒である。すなわち、この所定の期間T2は、LEDユニット２のLED自体が自己発熱により順電圧が変化しない時間であり、LEDユニット２には、この所定の期間T2だけ定格電流Isが通電される。
【００４２】
タイマ２６のリセット信号RSは、判定表示部１９のメモリ内容をリセットするために所定の期間T3だけ供給する。所定の期間T3は、例えば2秒である。  
後述するように、所定の期間T3の後、所定の期間T2が終了するまで、表示部１９Aの表示器が点灯するので、所定の期間T2は、ユーザが表示部１９Aの表示状態を確認できる時間に設定される。なお、上述したように、判定表示部１９には、メモリ機能があるので、ユーザによる所定の操作に応じて、その記憶された判定結果信号DSに応じた表示が可能となっている。すなわち、タイマ２６は、所定の期間T3をカウントするタイマであり、LED光源ユニット２の検定の開始を指示する信号が入力されると所定の期間T3のカウントを開始し、告知部である判定表示部１９の表示部１９Aは、タイマ２６が所定の期間T3が終了するまで判定結果を告知する。
【００４３】
次に、上述したLED光源ユニットチェッカ１の動作を説明する。図４は、LED光源ユニットチェッカ１の動作を説明するためのタイミングチャートである。  
まず、標識灯のチェックを行うユーザは、LED光源ユニットチェッカ１にLEDユニット２に接続し、種類選択スイッチ１６を操作して、検定を行うLEDユニット２の種類を選択する。ユーザが電源スイッチ１２をオンにした後にスタートスイッチ２３をオンにすると、タイマ２４は、スタート信号SSを所定の期間T1の間だけ出力する。
【００４４】
タイマ２４からのスタート信号SSに応じて、タイマ２６が所定の期間T3だけリセット信号RSを判定表示部１９へ供給する。これにより、判定表示部１９のメモリ機能により記憶されていた前回の判定結果信号DSの内容はリセットされ、判定表示部１９の表示部１９Aの各表示器１９Aa,１９Ab,１９Acの表示状態もリセットされて、いずれの表示器も消灯状態となる。従って、例えば、連続して検定をする場合においても、新たな検定の度に、各表示器の表示状態はリセットされて一旦消灯するので、ユーザは毎回の検定を確実に行うことができる。
【００４５】
また、タイマ２５は、タイマ２４からのスタート信号SSに応じて、動作信号OSをスイッチ１５へ供給して、スイッチ１５は、所定の期間T2だけオン状態になる。スイッチ１５がオンになると、LEDユニット２へ定格電流Isが供給され、LEDユニット２は通電状態となる。
【００４６】
定格電流Isが流れているときのLEDユニット２の順電圧が電圧検知回路１７において検出され、ユーザによって選択された電圧判定回路は、電圧検知回路１７からの検知電圧値Vdが設定された所定の範囲内にあるか否かを判定する。定格電流Isは、LEDユニット２自体が自己発熱して順電圧が変化しないような所定の期間T2だけLEDユニット２へ供給されるので、LEDユニット２の正確な順電圧を検定することができる。
【００４７】
例えば、電圧判定回路１８ａが選択されている場合、電圧判定回路１８ａは、検知電圧値Vdが設定された所定の範囲R1内にあるか否かを判定する。検知電圧値Vdが所定の範囲R1内にある場合は、電圧判定回路１８ａはHi信号もLo信号も出力しないので、判定表示部１９の表示部１９Aの表示器１９Acが点灯する。表示機１９Acの点灯状態は、タイマ２５の動作信号OSが出力されなくなるまで継続する。
【００４８】
検知電圧値Vdが所定の範囲R1を超えて上回っている場合は、電圧判定回路１８ａはHi信号を出力するので、判定表示部１９の表示部１９Aの表示器１９Aaが点灯する。検知電圧値Vdが所定の範囲R1を下回っている場合は、電圧判定回路１８ａはLo信号を出力するので、判定表示部１９の表示部１９Aの表示器１９Abが点灯する。表示器１９Aa及び１９Abの点灯状態は、タイマ２５の動作信号OSが出力されなくなるまで継続する。  
判定表示部１９はメモリ型なので、検定の結果である判定結果信号DSは、タイマ２５からの動作信号OSの出力がなくなっても判定表示部１９に保持される。そして、上述したように、ユーザによる所定の操作に応じて、その記憶された判定結果信号DSに応じた表示が可能である。例えば、所定のスイッチ（図示です）を押すと、その記憶されている判定結果信号DSに応じた表示が、表示部１９Aにおいてなされる。
【００４９】
以上のように、定格電流Isは、所定の期間T2だけしかLEDユニット２へ供給されないので、LEDユニット２内の各LED自体の自己発熱による温度上昇を抑えて、LED順電圧を正確に検定することができる。特に、LEDユニット２に用いられる赤LED、黄LEDなどのAlInGaP系のものは、温度ドリフトが大きく、LED自体の温度に応じて順電圧が大きく変化するので、LED自体が自己発熱により温度上昇しないような時間が、所定の期間T2として設定される。
【００５０】
さらに、検定の結果の判定結果信号DSは、判定表示部１９に記憶されるので、LED光源ユニットチェッカ１は、検定を行うユーザに正確なLEDユニットの良否判定の結果を確実に与えることができる。
【００５１】
また、LEDユニット２には、灯火色が異なるものなど、灯火品種別に種々のものがあるが、LED光源ユニットチェッカ１がLEDユニットの種類に応じた電圧判定回路を複数有しているので、ユーザが種類選択スイッチ１６によって検定するLEDユニットの種類を選択し、スタートスイッチ２３を操作にするだけで、LEDユニット２の検定を簡単に行うことができる。
【００５２】
本発明の実施形態を説明したが、上述した実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５３】
１  LED光源ユニットチェッカ、２  LEDユニット、３  LED点灯ユニット、１０  航空標識灯、１１  プラグ、１２  電源スイッチ、１３  DC化電源、１４  定電流電源、１５  出力スイッチ、１６  種類選択スイッチ、１７  電圧検知回路、１８  電圧判定部、１９  判定表示部、１９A  表示部、２０  タイマ部、２１、２２  接続端子、２３  スタートスイッチ、２４，２５，２６  タイマ
【図１】
2012204176.tif 000003
【図２】
2012204176.tif 000004
【図３】
2012204176.tif 000005
【図４】
2012204176.tif 000006